(57)【要約】      （修正有）【課題】簡易的に組み立てることが可能であり、かつ、各避難民の居住空間を固定することができる避難所用折り畳み式パーティションを提供する。【解決手段】折り畳み状態、展開状態、組立状態の３つの態様をとり、組立状態において、床面部と、床面部を取り囲む４つの壁面部とを備え、壁面部で囲まれる空間を避難用の居住空間とし、かつ、壁面部の一部に扉２ａが形成され、床面部を第１パーツ１１〜１４で構成し、壁面部２を第２パーツ２１〜２４で構成し、第１パーツ１１〜１４と第２パーツ２１〜２４の間の境界ライン、及び、第２パーツと２１〜２４同士の間の境界ラインは、予め結束バンド３を用いて連結される第１境界ラインか、予め連結されない第２境界ラインのいずれかに設定され、折り畳むときは、第１境界ラインを折り畳むことで、全体として扁平な直方体状に折り畳むことができる。【選択図】図５
0003161592.tif 000002
【実用新案登録請求の範囲】
【請求項１】
折り畳み状態、展開状態、組立状態の３つの態様をとることが可能な避難所用折り畳み式パーティションであって、
前記組立状態において、床面部と、この床面部を取り囲むように配置される複数の壁面部とを備え、この壁面部で囲まれる空間を避難用の居住空間とし、かつ、前記壁面部の一部に扉が形成され、
前記床面部を第１パーツで構成するとともに、前記壁面部を第２パーツで構成し、第１パーツと第２パーツの間の境界ライン、及び／又は、第２パーツと第２パーツの間の境界ラインは、予め連結部材を用いて連結される第１境界ラインか、予め連結されない第２境界ラインのいずれかに設定され、前記折り畳み状態とするに際しては、前記第１境界ラインを折り畳むことで、全体として扁平な直方体状に折り畳むことが可能に構成され、
前記折り畳み状態から展開して、床面部に対して壁面部を垂直に設定し、完成された組立状態とするように構成した避難所用折り畳み式パーティション。
【請求項２】
前記第１パーツ及び／又は前記第２パーツの前記第１境界ラインに沿って複数の連結孔を形成し、かつ、互いに隣接する第１パーツと第２パーツ、及び／又は、第２パーツと第２パーツ、の連結孔同士を連結するための前記連結部材をひも状部材で構成し、
折り畳み状態では、前記連結孔同士をひも状部材で緩く連結した状態にしておき、組立状態では、ひも状部材を締め付けることで、隣接するパーツ同士を強固に連結可能に構成したことを特徴とする請求項１に記載の避難所用折り畳み式パーティション。
【請求項３】
前記ひも状部材は、結束バンドであることを特徴とする請求項２に記載の避難所用折り畳み式パーティション。
【請求項４】
前記扉を有する壁面部は、壁面部を構成する前記第２パーツを複数の小パーツにさらに分割し、この小パーツ同士の境界ラインを前記連結部材で連結することで扉のヒンジとして機能させるように構成したことを特徴とする請求項１〜３のいずれか１項に記載の避難所用折り畳み式パーティション。
【請求項５】
床面部は１対の前記第１パーツにより構成され、組立状態で互いに向かい合う１対の第２パーツの夫々に第１パーツを前記連結部材で連結し、１対の第１パーツが平面的に並んだ状態で床面部が形成されていることを特徴とする請求項１〜４のいずれか１項に記載の避難所用折り畳み式パーティション。
【請求項６】
床面部は４つの前記第１パーツにより構成され、床面部を取り囲む４つの第２パーツの夫々に第１パーツを前記連結部材で連結し、組立状態で互いに向かいあう１対の第１パーツが平面的に並んだ状態で床面部を形成することで、床面部は第１パーツが上下に２枚重ねになることを特徴とする請求項１〜４のいずれか１項に記載の避難所用折り畳み式パーティション。
【請求項７】
前記床面部、壁面部は、段ボールにより形成することを特徴とする請求項１〜６のいずれか１項に記載の避難所用折り畳み式パーティション。
【請求項８】
前記床面部、壁面部は、ウレタンボード、または、樹脂発泡ボードにより形成されることを特徴とする請求項１〜７のいずれか１項に記載の避難所用折り畳み式パーティション。
【考案の詳細な説明】
【技術分野】
【０００１】
本考案は、折り畳み状態、展開状態、組立状態の３つの態様をとることが可能な避難所用折り畳み式パーティションに関するものである。
【背景技術】
【０００２】
地震や火災等の災害時には、体育館、公民館等の公共の場所が避難所として使用される。被災民は、かかる避難所を一時的な居住空間として使用するが、プライバシー保護の観点から、他人との居住空間を仕切るためのパーティションが必要である。かかる先行技術として、例えば、下記特許文献に開示されるパーティションが公知である。
【０００３】
特許文献１におけるパーティションは、建造物内の空間内に位置して空間を仕切る自立式フレキシブルパーティションであり、多数の壁面部がアコーディオン状に折り畳み可能に構成されている。
【０００４】
特許文献２におけるパーティション（間仕切り構造）も同様にアコーディオン状に折り畳み可能に構成されており、さらに、各壁面部を貫通する棚体が設けられている。
【先行技術文献】
【特許文献】
【０００５】
【特許文献１】特開平７−２５９２２４号公報
【特許文献２】特開２００８−２１４８５８号公報
【考案の概要】
【考案が解決しようとする課題】
【０００６】
上記先行技術に係るパーティションは、アコーディオン式に折り畳み可能であり簡易的な構造である。しかしながら、多数の避難民が殺到した場合、パーティションの設置位置を整然とさせておくことが難しい。すなわち、パーティションは移動しやすいだけに、各避難民の居住空間を予め決めて守らせることが難しいという問題がある。従って、自分の都合で勝手にパーティションを移動させて、他の避難民の居住空間を侵食してしまうという問題がある。また、避難所では、通路を確保することも重要であり、パーティションの勝手な移動により通路が確保できなくなるという問題もある。
【０００７】
本考案は上記実情に鑑みてなされたものであり、その課題は、簡易的に組み立てることが可能であり、かつ、各避難民の居住空間を固定されたものにすることができる避難所用折り畳み式パーティションを提供することである。
【課題を解決するための手段】
【０００８】
上記課題を解決するため本考案に係る避難所用折り畳み式パーティションは、
折り畳み状態、展開状態、組立状態の３つの態様をとることが可能な避難所用折り畳み式パーティションであって、
前記組立状態において、床面部と、この床面部を取り囲むように配置される複数の壁面部とを備え、この壁面部で囲まれる空間を避難用の居住空間とし、かつ、前記壁面部の一部に扉が形成され、
前記床面部を第１パーツで構成するとともに、前記壁面部を第２パーツで構成し、第１パーツと第２パーツの間の境界ライン、及び／又は、第２パーツと第２パーツの間の境界ラインは、予め連結部材を用いて連結される第１境界ラインか、予め連結されない第２境界ラインのいずれかに設定され、前記折り畳み状態とするに際しては、前記第１境界部分を折り畳むことで、全体として扁平な直方体状に折り畳むことが可能に構成され、
前記折り畳み状態から展開して、床面部に対して壁面部を垂直に設定し、完成された組立状態とするように構成したことを特徴とするものである。
【０００９】
かかる構成による避難所用折り畳み式パーティションの作用・効果を説明する。このパーティションは、折り畳み状態、展開状態、組立状態の３つの態様をとることができる。パーティションを運搬するときは、折り畳み状態にすることで、持ち運びが容易な状態にする。避難所で組み立てる際は、折り畳み状態から展開状態に移行し、さらに、組立状態にして使用可能な状態にする。組立状態では、床面部とこれを取り囲む壁面部により構成される。壁面部により囲まれる空間が居住空間であるから、居住空間の大きさははじめから決められている。すなわち、床面部の面積が、居住空間の平面的な大きさを表し、固定された大きさになる。
【００１０】
床面部は第１パーツにより構成され、壁面部は第２パーツにより構成される。通常は、これら第１パーツと第２パーツは正方形もしくは長方形となる。便宜上、第１パーツと第２パーツと区別しているが、これらは異なるサイズ・材質であってもよいし同じサイズ・材質であってもよい。第１パーツ（１つもしくは複数）と第２パーツ（複数）は部品としては分かれているが、これらは連結部材により予め連結されている。すなわち、第１パーツと第２パーツの間の境界ライン、及び／又は、第２パーツと第２パーツの間の境界ラインは、予め連結部材を用いて連結される第１境界ラインか、予め連結されない第２境界ラインのいずれかに設定されている。これにより、各パーツはばらばらにならずに可能な限り一体化させておくことができる。そして、折り畳み状態とするに際しては、第１境界部分を折り畳むことで、全体として扁平な直方体状に折り畳むことができ、持ち運びが容易になる。また、上記境界ラインには、予め、連結されていない第２境界ラインもあり、かかる第２境界ラインが設定されていることで、組立状態で立体的なパーティションを平面的な状態に折り畳ませることができる。予め、連結されていない第２境界ラインについては、必要に応じて、組立状態にしてから適宜の方法（例えば、ガムテープによる結合）により連結させることができる。
【００１１】
以上の構成によれば、境界ラインを折り畳むことで簡単に折り畳み状態とすることができ、それを展開していくことで最終的に組立状態に完成させることができる。居住空間は床面部の大きさに支配されるので、各避難民の居住空間を固定されたものにすることができる。
【００１２】
本考案において、前記第１パーツ及び／又は前記第２パーツの前記第１境界ラインに沿って複数の連結孔を形成し、かつ、互いに隣接する第１パーツと第２パーツ、及び／又は、第２パーツと第２パーツ、の連結孔同士を連結するための前記連結部材をひも状部材で構成し、
折り畳み状態では、前記連結孔同士をひも状部材で緩く連結した状態にしておき、組立状態では、ひも状部材を締め付けることで、隣接するパーツ同士を強固に連結可能に構成することが好ましい。
【００１３】
隣接するパーツ同士を連結する連結部材については、種々の構成が考えられるが、ひも状部材とすることが好ましい。ひも状部材で連結するため、隣接する第２パーツと第２パーツ（あるいは第１パーツ）の境界ラインに沿って連結孔を形成する。この連結孔にひも状部材を通して、隣接するパーツ同士を連結することができる。また、折り畳み状態にするためには、ひも状部材でゆるく連結した状態にすれば、折り畳み作業を容易にすることができる。そして、組立状態にするときに、きつく締め付けることで隣接するパーツ同士を強固に連結することができる。
【００１４】
本考案に係るひも状部材は、結束バンドであることが好ましい。結束バンドは、バンドの片端にロック用部品がついており、これに反対側の端を通して結束する。結束バンドは、市販のものを用いることができ、安価に構成することができる。
【００１５】
本考案において、前記扉を有する壁面部は、壁面部を構成する前記第２パーツを複数の小パーツにさらに分割し、この小パーツ同士の境界ラインを前記連結部材で連結することで扉のヒンジとして機能させるように構成したことが好ましい。
【００１６】
壁面部は通常であれば１つの第２パーツで構成することができるが、扉を構成する場合は、第２パーツを複数の小パーツで構成する。この小パーツ同士の境界ラインを連結部材で連結することで、小パーツ同士を折りたたむことが可能になる。すなわち、境界ラインをヒンジとして機能させることができる。これにより、扉を簡素な構成で形成することができる。
【００１７】
本考案に係る床面部は１対の前記第１パーツにより構成され、組立状態で互いに向かい合う１対の第２パーツの夫々に第１パーツを前記連結部材で連結し、１対の第１パーツが平面的に並んだ状態で床面部が形成されていることが好ましい。
【００１８】
床面部は１つの第１パーツにより構成することもできるが、その場合、第１パーツが第２パーツよりもかなり大きなサイズになる可能性がある。そこで、１対の第１パーツで床面部を構成する。互いに向かい合う第２パーツに夫々上記第１パーツを連結部材で連結しておく。組み立てるときは、１対の第１パーツを平面的に並べた状態で床面部を構成することができる。すなわち、床面部の面積も２つの第１パーツに対応した面積とすることができる。かかる構成にすることで、第１パーツと第２パーツのサイズを同じか近いサイズにすることができ、折り畳み状態のサイズをコンパクトにすることができる。
【００１９】
本考案において、床面部は４つの前記第１パーツにより構成され、床面部を取り囲む４つの第２パーツの夫々に第１パーツを前記連結部材で連結し、組立状態で互いに向かいあう１対の第１パーツが平面的に並んだ状態で床面部を形成することで、床面部は第１パーツが上下に２枚重ねになることが好ましい。
【００２０】
通常であれば、壁面部は床面部の周囲に４つ設けられるので、互いに向かい合う２対の第２パーツが存在することになる。これら４つの第２パーツに夫々第１パーツを連結させる。これにより、組立状態では第１パーツが２枚重ねになるようにすることができる。床面部の面積は２つの第１パーツに対応した面積となる。例えば、体育館のような避難所は、冬場においては、床面の温度も低く、床面部の厚さが薄いと、体感温度も低くなりがちである。そこで、床面部を２枚重ねになるように構成することで、断熱性を高めることができ、住み心地の良い空間とすることができる。
【００２１】
本考案において、前記床面部、壁面部は、段ボールにより形成することが好ましい。これにより、安価な段ボールを用いてパーティションを作成することができる。また、再利用することも可能であり、環境にも配慮したパーティションとすることができる。
【００２２】
本考案において、前記床面部、壁面部は、ウレタンボード、または、樹脂発泡ボードにより形成されることが好ましい。かかる素材を用いても、比較的安価で強度を有するパーティションを提供することができる。また、再利用することも可能である。
【図面の簡単な説明】
【００２３】
【図１】第１実施形態に係るパーティションの組立状態を示す斜視図（扉を開）
【図２】第１実施形態に係るパーティションの展開状態を示す斜視図
【図３】第１実施形態に係るパーティションの折り畳み状態を示す図
【図４】第１実施形態に係るパーティションの展開作業を示す図
【図５】第１実施形態に係るパーティションの組立状態を示す平面図
【図６】結束バンドでの連結状態を拡大して示す図
【図７】第１実施形態に係るパーティションの組立状態を示す図（扉を閉）
【図８】第２実施形態に係るパーティションの組立状態を示す図
【図９】第３実施形態に係るパーティションの展開状態を示す図
【図１０】パーティションの配置構成例を示す図
【考案を実施するための形態】
【００２４】
本考案に係る避難所用折り畳み式パーティション（以下、単に「パーティション」と称する。）の好適な実施形態を図面を用いて説明する。
【００２５】
＜第１実施形態＞
図１は、第１実施形態に係るパーティションの組立状態を示す。図２は、パーティションを途中まで展開した状態を示す図である。図３は、折り畳み状態を示す図である。図４は、展開作業の途中を示す図である。図５は、組立状態における平面図である。
【００２６】
図１に示すように、パーティションは、床面部１と、この床面部１を四方から取り囲むように立てられる４つの壁面部２から構成される。壁面部２は、組み立てた状態では床面部１に対して垂直姿勢となる。４つの壁面部２のうちの１つは、開閉可能な扉２ａを有している。図１に示すパーティション（以下、「基本構成」ということがある。）を多数用意しておき、基本構成が同じものを多数、避難所に配置するようにする。
【００２７】
図２は、途中まで展開した状態を示す図である。床面部１は、４つの第１パーツ１１〜１４により構成される。各第１パーツ１１〜１４は、同じサイズの矩形である。壁面部２は全部で４つ設けられ床面部１を取り囲むように構成される。各壁面部２は、４つの第２パーツ２１〜２４により構成される。各第２パーツ２１〜２４は、同じサイズの矩形であるが、扉２ａが設けられる第２パーツ２１は、更に２つの小パーツ２１Ａ，２１Ｂにより構成され、小パーツ２１Ｂが扉２ａとして機能する。２つの小パーツ２１Ａ，２１Ｂの大きさについては、適宜設定することができる。
【００２８】
図２に示すように、第１パーツ１１〜１４の大きさはＷ１×Ｗ２であらわされる。また第２パーツ２１〜２４の大きさはＷ１×Ｈ（高さ）で表わされる。図５に示すように、第１パーツ１１〜１４の短辺の長さＷ２は長辺の長さＷ１のちょうど半分である。なお、高さＨを長さＷ２に合わせれば、第１パーツ１１〜１４と第２パーツ２１〜２４のサイズを同じにすることができる。
【００２９】
パーティションを組立状態にしたとき、隣接するパーツ間の境界ラインは、予め、結束バンド３（連結部材、ひも状部材に相当）により連結される第１境界ラインＬ１と、予め、結束バンド３で連結されない第２境界ラインＬ２のいずれかに設定されている。図２に示すように、隣接する第２パーツ（２１と２２）（２２と２３）（２３と２４）の境界ラインは第１境界ラインＬ１である。これらの第１境界ラインＬ１は結束バンド３により連結される。ただし、第２パーツ（２１と２４）の境界ラインは、第２境界ラインＬ２であり、結束バンド３による連結はされない。
【００３０】
第２パーツ２１については、２つの小パーツ２１Ａ，２１Ｂに分割されており、これらの境界ラインも第１境界ラインＬ１であり、結束バンド３により連結される。これにより、第１境界ラインＬ１を扉のヒンジとして機能させることができる。
【００３１】
第１パーツ１１と第２パーツ２１、第１パーツ１２と第２パーツ２２、第１パーツ１３と第２パーツ２３、第１パーツ１４と第２パーツ２４は、夫々、第１境界ラインＬ１において結束バンド３により連結される。第１パーツ１１〜１４の他の境界ラインは、第２境界ラインＬ２である。なお、扉２ａが設けられる第２パーツ２１については、小パーツ２１Ａのみが第１パーツ１１と連結される。これにより、開閉自在な扉２ａを設けることができる。
【００３２】
図５に示すように、組立状態では互いに向かい合う第２パーツ２１と第２パーツ２３に連結されている第１パーツ１１と第１パーツ１３が床面部１の表面にくる。第１パーツ１１と第１パーツ１３は、平面的に並んだ状態で配置されるので、床面部１の面積は１つの第１パーツ１１，１３夫々の面積を合わせた面積となる。また、もう１つの向かい合う第１パーツ１２と第１パーツ１４は、第１パーツ１１と第１パーツ１３の裏側に配置される。
【００３３】
従って、壁面部２の厚みは、１つの第２パーツ２１〜２４の厚みで構成されるが、床面部１は、第１パーツ１１〜１４の二重構造となるので厚みは壁面部２の２倍となる。特に、冬場においては、避難所では暖房が効いていない可能性もあり、避難所の床面がかなり冷えている状態になる。従って、その冷温が伝わりにくい構造が望まれる。床面部１を第１パーツ１１〜１４の二重構造にすれば、断熱性を高めることができ、快適な避難空間とすることができる。
【００３４】
なお、上記二重構造とする場合、第１パーツ１２と第１パーツ１４を表面側になるようにし、第１パーツ１１と第１パーツ１３を裏面側になるように組み立ててもよい。
【００３５】
図６は、結束バンド３での連結状態を拡大して示す図である。第１境界ラインＬ１に対応する箇所には、第１パーツ１１〜１４と第２パーツ２１〜２４とも、多数の連通孔２ｂが形成されている。結束バンド３は市販のものを使用することができる。なお、連通孔２ｂの個数については、パーツ間の結合強度を考慮して適宜決めることができる。連通孔２ｂを多めに形成しておき、結束バンド３を使用する連通孔２ｂをその中から適宜選択して、結合強度を調整するようにしてもよい。
【００３６】
＜具体的寸法例＞
パーティションの具体的な寸法例を説明する。居住空間の大きさとしてはＷ１×Ｗ１×Ｈ＝２．７ｍ×２．７ｍ×１．５ｍとすることができる。Ｌ１＝３ｍとすれば、第１パーツ１１〜１４と第２パーツ２１〜２４の大きさを同じにすることができる。また、結束バンド３としては、幅５ｍｍ×長さ２００ｍｍ程度のものを使用し、連通孔２ｂもφ６ｍｍとすることができる。
【００３７】
床面部１のサイズを上記のようにすれば、家族４人用の居住空間として提供可能である。１人当たりの空間は、上記の例では1人／１．８ｍ2程度になる。
【００３８】
なお、具体的な数値は上記に限定されるものではなく、事情に応じて適宜決めることができる。また、床面部１は正方形でなくてもよく、長方形に形成してもよい。例えば、Ｗ１については、エコノミータイプでは２８３０ｍｍ（面積は８ｍ2仕様：１人／２ｍ2)、標準タイプでは３０００ｍ（面積は９ｍ2仕様：１人／２．２５ｍ2)  、余裕タイプでは２７００〜３０００ｍｍとすることができる。
【００３９】
壁面部２の高さは１．０ｍ〜１．５ｍ程度にすることが好ましい。壁面部２の高さは高くすればするほど、プライバシー保護の点では好ましい。しかし、避難用であることを考慮すれば、パーティションの外部から内部を確認できることが望まれる。今回は４人仕様を基本に一辺を２．７ｍとしたことより、高さはより好ましい１．５ｍとした。
【００４０】
＜組立手順＞
次に、パーティションを折り畳んだ状態から組み立てるときの手順を説明する。図３は、パーティションを完全に折り畳んだ状態を示す概念図である。この図３は天井側からみた図である。折り畳んでいる順番は、図３の右側から第２パーツ２１、第１パーツ１１、第２パーツ２３、第１パーツ１３、第１パーツ１４、第２パーツ２４、第１パーツ１２、第２パーツ２２の順である。また、折り畳み作業を容易にするために、結束バンド３での締め付け状態は緩い状態にしておく。すなわち、第２パーツ２１と第２パーツ２２は、かなり緩んだ状態で連結する。第２パーツ２２と第２パーツ２３も少し緩んだ状態で連結する。第２パーツ２３と第２パーツ２４も少し余裕がある状態で連結する。第１パーツ１１〜１４と第２パーツ２１〜２４の連結状態も少し余裕がある状態で連結することが好ましい。
【００４１】
この折り畳み状態は、扁平な直方体状になっており、コンパクトに折り畳まれ携帯性を有している。平面的な大きさは、第１パーツ１１〜１４あるいは第２パーツ２１〜２４の大きさとほぼ同一である。従って、携帯性に優れるとともに、上下方向にも多数を積み重ねて保管できるので、保管性にも優れている。なお、図３は概念図であり、各パーツの端面が完全にそろった状態で折り畳む必要はなく、端面をずらした状態で折り畳んでもよい。
【００４２】
また折り畳んだときにパーツが重なる順番は、図３の実施形態に限定されるものではなく、種々の変形例が考えられる。
【００４３】
図４は、図３の状態から少し展開した状態を示す平面図である。作業員Ｍが２人で展開作業をすることができる。まずは、第２パーツ２２を基準として（１人の作業員Ｍが支える）、第２パーツ２１を開く（Ｓ１）。次に第２パーツ２２を基準にして、別の作業員Ｍが第２パーツ２３，２４を同時に開く（Ｓ２）（Ｓ３）。次に第２パーツ２４のコーナーを第２パーツ２１のコーナーに合わせる（Ｓ４）。第２パーツ２１〜２４の展開時には、第１パーツ１１〜１４は第２パーツ２１〜２４に対して展開させなくてもよい。第２パーツ２１〜２４の展開を終了した後に、第１パーツ１１〜１４を展開して床面部１が形成される。
【００４４】
以上のように、各パーツの位置が決定すると、結束バンド３の締め付けを行い、パーツ間の連結を強固にする。締め付けにより結束バンド３が固定された後は、バンドの余分な部分をニッパー等でカットする。カットした先端は尖った形状になっており、安全のために、各パーツ（段ボール製）の中に押し込みガムテープを貼って露出しないように処置をする。
【００４５】
組立状態において、形状をしっかりと保持するためには、予め接続されていない第２境界ラインＬ２を必要に応じて接続させる。例えば、図５に示す互いに向かい合う第１パーツ１１，１３の境界ラインＬ２’をガムテープ等のテープ、接着剤等により連結することができる。また、結束バンド３で連結されていない第１パーツ１１，１３と第２パーツ２２，２４の第２境界ラインＬ２”も同様にガムテープ等で連結することが好ましい。
【００４６】
以上のように、パーティションの組み立ては、きわめて簡単な作業により短時間で行うことができ、緊急の場合にも容易に対応することができる。
【００４７】
図７に示す組立状態は扉２ａを閉めた状態を示す。壁面部２には、番地表示部４と表札部５が設けられる。番地表示部４には、例えば、体育館の中に設置するのであれば、予め決められた館内の位置が表示される。これにより、避難所での設置作業を効率よく短時間で行うことができる。なお、番地表示部４と表札部５は、扉２ａではなく、扉２ａに隣接する壁面部２あるいは他の壁面部２に設けてもよい。扉２ａは、避難所の通路側に配置されるので、上記の構成により、パーティションに居住する避難者の氏名等を容易に確認することができる。
【００４８】
なお、折り畳んだパーティション（パーティションとして使用する前）は、シュリンク包装（専用のビニールフィルムで覆い、加熱収縮させて固定保持する包装）し、さらに、防虫剤、除湿剤を入れてパック包装して保管しておくことが好ましい。また、避難所の大きさに合わせて、必要なパック数を保管し、各パックに管理（配置）ナンバーをつけておくことが好ましい。
【００４９】
パーティションを構成する床面部１や壁面部２は、紙製の段ボールにより形成することができる。段ボールの場合、使用後にリサイクル処理が可能になる。また、段ボールは、断熱性が高く、床面部１として用いる場合の厚みは、強度面も考慮して６〜１０ｍｍ（二重に重なるため設置時の厚みは１２〜２０ｍｍ程度）となり好ましい。これにより、避難所の床面が冷えていたとしても、熱が逃げにくくなり、快適性を確保することができる。
【００５０】
材質は、紙製の段ボールに限定されるものではなく、樹脂製の段ボール、ウレタンボード、樹脂発泡ボード等を使用してもよい。材質等については、他の実施形態も同じである。
【００５１】
＜第２実施形態＞
次に、第２実施形態に係るパーティションの構成を図８により説明する。第１実施形態を示す図２と異なるのは、床面部１を構成する第１パーツ１２，１４が４つではなく２つである点である。従って、床面部１は第１実施形態とは異なり、二重構造ではなく、一重構造である。なお、一重とする場合、第１パーツ１２と第１パーツ１４の組み合わせではなく、第１パーツ１１と第１パーツ１３の組み合わせでもよい。
【００５２】
＜第３実施形態＞
次に、第３実施形態に係るパーティションの構成を図９により説明する。この実施形態では、第２パーツ２２に、２つの第１パーツ１２Ａ，１２Ｂが連結されており、第２パーツ２４に２つの第１パーツ１４Ａ，１４Ｂが連結される。第１パーツ１２Ａと第１パーツ１４Ａが夫々第２パーツ２２と第２パーツ２４に結束バンド３で連結される。また、第１パーツ１２Ａ，１２Ｂ同士と、第１パーツ１４Ａ，１４Ｂ同士も結束バンド３で連結される。これにより、床面部１は二重構造となる。なお、第１パーツ１２Ａ，１２Ｂ同士と、第１パーツ１４Ａ，１４Ｂ同士は、テープで連結してもよい。
【００５３】
上記変形例として、第１パーツ１２Ｂと第１パーツ１４Ｂをなくせば、床面部１は一重構造となる。また、第１パーツ１２Ａ，１２Ｂを１つの大きな第１パーツとし、第１パーツ１４Ａ，１４Ｂを１つの大きな第１パーツとして形成してもよい。
【００５４】
＜パーティションの配置構成例＞
図１０は、多数のパーティションの配置構成例を示す平面図である。例えば、体育館を避難所とした場合の配置構成例である。１つのパーティション（１パック＝基本構成）のサイズは２．７ｍ×２．７ｍである。１人当たりのスペースは約１．８ｍ２として考える。図示の配置例では、４パックを１区画として、区画と区画の間に通路Ｒを形成している。これにより、整然とした状態でパーティションを配置することができ、人の移動の際にも混乱が生じることがない。扉２ａも同じ側にそろうようにする。
【００５５】
＜作用・効果＞
以上のような構成によれば、避難所の限られたスペースを効率よく区画することができ、整然と配置することができる。通路も整然と形成することができ、人の行き来で混乱することがない。また、避難民が避難所に殺到して来た場合にでも、予め区画整理することができるので、陣取り合戦による混乱・トラブルをなくすことができる。
【００５６】
＜別実施形態＞
本実施形態において壁面部２に、窓を形成してもよい。壁面部２を繰り抜くことで窓を形成することができる。なお、窓を形成するか否かは任意であり、また、どの壁面部２に窓を形成するかについても適宜行うことができる。
【００５７】
本実施形態において、オプション的に天井部を設けてもよい。天井部は予め壁面部２を構成するいずれかの第２パーツ２１〜２４に結束バンド３で連結しておくことができる。なお、防災上、天井部で覆うのは居住空間の一部のみとすることが好ましい。天井部は、別部材として後からガムテープ等で取り付けるように構成してもよい。
【００５８】
本実施形態において扉２ａは、第２パーツを構成する小パーツにより形成しているが、壁面部２をくりぬいて別部材により扉を構成してもよい。扉２ａを設ける場所は、本実施形態に限定されるものではない。例えば、小パーツ２１Ａの側が扉２ａになるように構成してもよい。また、どの壁面部２に扉２ａを設けるかも任意である。
【００５９】
本実施形態では、第１パーツ１１〜１４と第２パーツ２１〜２４をすべて連結した状態にしているが、本発明は、これに限定されるものではない。例えば、結束バンド２で連結するのは、第２パーツ２１〜２４のみとし、これらのみを折り畳み状態とする。第１パーツは第２パーツ２１〜２４とは、分離されたパーツとし、組み立てるときに、第２パーツ２１〜２４とガムテープ等で連結するようにしてもよい。包装するときは、折り畳んだ第２パーツ２１〜２４と、第１パーツを重ねて包装すれば、コンパクトな形で包装することができる。
【００６０】
本実施形態において、第１パーツ１１〜１４と第２パーツ２１〜２４とは、必ずしも同じ材質でなくてもよい。
【００６１】
連結部材として、本実施形態では結束バンド３を例示したが、本発明は、これに限定されるものではない。結束バンド３以外のひも状部材を用いてもよい。例えば、単なるひもで連結してもよい。
【符号の説明】
【００６２】
１        床面部
２        壁面部
２ａ      扉
２ｂ      連通孔
３        結束バンド
１１〜１４        第１パーツ
２１〜２４        第２パーツ
２１Ａ，２１Ｂ    小パーツ
Ｌ１      第１境界ライン（境界ライン）
Ｌ２      第２境界ライン（境界ライン）
【図１】
0003161592.tif 000003
【図２】
0003161592.tif 000004
【図３】
0003161592.tif 000005
【図４】
0003161592.tif 000006
【図５】
0003161592.tif 000007
【図６】
0003161592.tif 000008
【図７】
0003161592.tif 000009
【図８】
0003161592.tif 000010
【図９】
0003161592.tif 000011
【図１０】
0003161592.tif 000012